(57)【要約】 【課題】  ロール紙の使用及びロール紙の交換の際の作業や、ロール紙の保管が煩雑にならないロール紙包装ケースを提供する。【解決手段】  打抜と折り目加工によって一枚の紙から作成され、ロール紙Ｒの包装ケースと引出器とを兼用するロール紙包装ケースであって、ケース内部側に、横断面略円弧状のロール紙支持壁片１を備える。また、左右側壁２，２の各々に、ロール紙支持壁片１に当接してロール紙支持壁片１を上記略円弧状に保持するためのアール状保持部３を形成した。【選択図】  図２
2006256666.tif 000002
【特許請求の範囲】
【請求項１】
打抜と折り目加工によって一枚の紙（Ａ）から作成され、ロール紙（Ｒ）の包装ケースと引出器とを兼用するロール紙包装ケースであって、ケース内部側に、横断面略円弧状のロール紙支持壁片（１）を備えたことを特徴とするロール紙包装ケース。
【請求項２】
左右側壁 (２)(２) の各々に、上記ロール紙支持壁片（１）に当接して該ロール紙支持壁片（１）を上記略円弧状に保持するためのアール状保持部（３）を形成した請求項１記載のロール紙包装ケース。
【請求項３】
左右側壁 (２)(２) の各々に、上記ロール紙（Ｒ）の中央貫孔（４）の開口端部（５）に差し込まれて該ロール紙（Ｒ）を回転自在に保持するための起立保持片（６）を形成した請求項１又は２記載のロール紙包装ケース。
【請求項４】
上記左右側壁 (２)(２) の各々は、補強起立保持片（７）が形成された外側壁（２ａ）と、該外側壁（２ａ）の内側に位置すると共に上記起立保持片（６）が形成された内側壁（２ｂ）と、を有し、
上記起立保持片（６）と上記補強起立保持片（７）とを起立状態で重ね合せ状に連結した請求項３記載のロール紙包装ケース。
【請求項５】
上記ロール紙支持壁片（１）は、上記内側壁（２ｂ）と対向する側で側面視傾斜状となる部分に、該内側壁（２ｂ）が差し込まれて該内側壁（２ｂ）の左右方向の動きを抑制するための切欠部（８）を有する請求項４記載のロール紙包装ケース。
【発明の詳細な説明】
【技術分野】
【０００１】
本発明は、ロール紙包装ケースに関する。
【背景技術】
【０００２】
従来のインクジェットプリンタ等のプリンタでは、Ｂ５サイズ、Ａ４サイズ等の紙を使用する場合、プリンタに設けられた給紙ホルダを用いて給紙を行なうことができるようになっている。しかしながら、長尺のポスター，店頭に掲示される広告（ＰＯＰ広告）等の作成で使用されるロール紙の場合には、直接的にプリンタの給紙ホルダに取り付けられないものが存在する。
そこで、従来、プリンタに給紙するロール紙を回転自在に保持するためのロール紙ホルダが提案されている（例えば、特許文献１参照）。
特許文献１には、ロール紙の外周に接することにより従動する回転ローラと、ロール紙の直下に配置されてロール紙の外周に当接可能な回転抑制部と、を備えたロール紙ホルダが開示されている。
【特許文献１】特開２００１−３０２０３１号公報
【発明の開示】
【発明が解決しようとする課題】
【０００３】
上記特許文献１のようなロール紙ホルダでは、使用時に、別売りのロール紙をロール紙ホルダに取付ける必要があった。この別売りのロール紙は、従来、専用のロール紙包装ケースで包装されて店頭に並べられていた。そして、ロール紙をロール紙ホルダに取付ける際には、ロール紙包装ケース内部からロール紙を取り出す必要があった。即ち、従来、長尺のポスター，店頭に掲示される広告（ＰＯＰ広告）等を作成する場合、ロール紙ホルダをプリンタの傍に設置すると共に、ロール紙をロール紙包装ケース内部から取り出してロール紙ホルダに取付ける作業を行なう必要があり、ポスター作成作業が煩雑なものとなっていた。
【０００４】
また、従来、ロール紙の種類を変更するときは、ロール紙ホルダに取り付けられているロール紙を別のロール紙に交換する必要があった。この交換の際、ロール紙ホルダから取り外されたロール紙は、裸のままでは（直射日光，蛍光灯の光等で）傷みやすいので、もとのロール紙包装ケースに再び収納する等して保管していた。即ち、従来では、ロール紙の使用や交換の際の作業及びロール紙の保管のための作業が煩雑なものとなっていた。
そこで、本発明は、ロール紙の使用及びロール紙の交換の際の作業や、ロール紙の保管が煩雑にならないロール紙包装ケースを提供することを目的とする。
【課題を解決するための手段】
【０００５】
上記目的を達成するために、本発明に係るロール紙包装ケースは、打抜と折り目加工によって一枚の紙から作成され、ロール紙の包装ケースと引出器とを兼用するロール紙包装ケースであって、ケース内部側に、横断面略円弧状のロール紙支持壁片を備えたものである。
また、左右側壁の各々に、上記ロール紙支持壁片に当接して該ロール紙支持壁片を上記略円弧状に保持するためのアール状保持部を形成したものである。
また、左右側壁の各々に、上記ロール紙の中央貫孔の開口端部に差し込まれて該ロール紙を回転自在に保持するための起立保持片を形成したものである。
また、上記左右側壁の各々は、補強起立保持片が形成された外側壁と、該外側壁の内側に位置すると共に上記起立保持片が形成された内側壁と、を有し、上記起立保持片と上記補強起立保持片とを起立状態で重ね合せ状に連結したものである。
また、上記ロール紙支持壁片は、上記内側壁と対向する側で側面視傾斜状となる部分に、該内側壁が差し込まれて該内側壁の左右方向の動きを抑制するための切欠部を有する。
【発明の効果】
【０００６】
本発明は、次のような著大な効果を奏する。
本発明に係るロール紙包装ケースは、従来のようにロール紙をケース内部から取り出してロール紙ホルダに取付ける作業を行なう必要がなくなるので、ロール紙の使用が煩雑になることがなく、ポスター等の作成作業を容易に行なうことができる。
また、ロール紙の交換が容易なロール紙包装ケースとすることができる。
また、引出器として使用していたロール紙包装ケースを、そのまま保管場所に持ち運んでロール紙を保管するために使用することができるので、ロール紙の保管が容易なロール紙包装ケースとすることができる。
また、引出器としての能力に優れたロール紙包装ケースとすることができる。
【０００７】
また、横断面略円弧状のロール紙支持壁片の形状が容易に崩れないようにすることができるので、ロール紙包装ケースの引出器としての性能が、容易に低下しないようにすることができる。
また、ロール紙包装ケースに対して全体として上下左右に移動することがないようにロール紙を保持しつつ、ロール紙の回転をよりスムーズにすることができるので、ロール紙包装ケースの引出器としての性能をより向上させることができる。
また、起立保持片の強度を増大させることができるので、引出器としての性能が容易に低下しないようにすることができる。
また、取り扱い性に優れたロール紙包装ケースとすることができる。
【発明を実施するための最良の形態】
【０００８】
以下、実施の形態を示す図面に基づき本発明を詳説する。
図１〜図４に於て、本発明に係るロール紙包装ケース30は、例えばインクジェットプリンタ等のプリンタ40に使用するロール紙Ｒ用のものである。ロール紙Ｒは、具体的には、長尺のポスターや店頭に掲示される広告（ＰＯＰ広告）等を作成するために使用される。  このロール紙包装ケース30は、打抜と折り目加工によって一枚のシート状の紙Ａから作成され、ロール紙Ｒの包装ケースと引出器とを兼用するロール紙包装ケースであって、ケース内部側に、横断面略円弧状（図６参照）のロール紙支持壁片１を備えている。
【０００９】
ロール紙包装ケース30の外形は、図１，２，４，５に於て示すように、底部21と、前壁15と、外側壁２ａと内側壁２ｂとを有する左右側壁２，２と、後壁16と、蓋部19とにより、略直方体状に形成されている。
底部21は、底部係合壁21ａ，21ｂ，21ｃ，21ｄを相互に係合させることによって、形成されている。
前壁15には、上端縁から中央にかけて、略台形状の前面切欠部14が設けられている。この前面切欠部14の下辺には、水平状折り目20を境として、ロール紙支持壁片１が連設されている。  
【００１０】
ここで、ロール紙支持壁片１は、購入時のロール紙Ｒの外周面の形状にほぼ沿うような形状となっている。また、ロール紙支持壁片１は、ロール紙包装ケース30を引出器として使用する際、ロール紙Ｒを支持したり、ロール紙Ｒがうまく引き出されるようにガイドする機能を有する。このロール紙支持壁片１は、図４に示すように、水平状折り目20から先端側へ向って順に、第１支持領域部23と第２支持領域部24とを有している。第１支持領域部23は、シート状の紙Ａの状態で、前面切欠部14の内側に形成される領域であり、前面切欠部14とほぼ同形状（略台形状）となっている。また、図２及び図４に示すように、第２支持領域部24は、略直方体状のロール紙包装ケース30の状態で、ケース内部の左右幅略全体に広がる形状となっている。
【００１１】
また、第１支持領域部23と第２支持領域部24との境は折り目25となっている。側面視（横断面視）から見た図６に於て説明すると、ロール紙支持壁片１は、前壁15の水平状折り目20から先端側へ向って順に、急な傾斜状となる第１支持領域部23と、折り目25を境にして緩やかな弯曲状となると共に後壁16に当接する第２支持領域部24と、を有している。そして、ロール紙支持壁片１は、第１支持領域部23と第２支持領域部24とを合わせた全体として略円弧状となっている。
また、ロール紙支持壁片１は、図４〜図６に示すように、内側壁２ｂと対向する側で側面視傾斜状となる部分に、内側壁２ｂが差し込まれて内側壁２ｂの左右方向の動きを抑制するための切欠部８を有している。言い換えると、この切欠部８は、ロール紙支持壁片１の第１支持領域部23の左右両側に形成されている。
【００１２】
次に、左右側壁２，２について詳しく述べると、左右側壁２，２の各々は、図５〜図８に於て示すように、補強起立保持片７が形成された外側壁２ａと、外側壁２ａの内側に位置すると共に起立保持片６が形成された内側壁２ｂと、を有している。  
外側壁２ａの補強起立保持片７は、半円状であり、ロール紙包装ケース30が店頭に並べられている状態では、その直線部が上下に延びると共に円弧部が後壁16側に向くように外側壁２ａに形成されている（即ち、Ｄ字状に形成されている）。そして、その状態では、補強起立保持片７は、複数の切り残し部26…にて外側壁２ａと連結されている。また、ロール紙包装ケース30をロール紙Ｒの引出器として使用する際には、補強起立保持片７は、切り残し部26…がちぎられてケース内部側へ起立させられるようになっている。
また、補強起立保持片７の中央位置には、係止片９が形成されている。
【００１３】
内側壁２ｂは、図７に示すように、内側壁２ｂに近接状の外側壁２ａと、連結壁11を介して連結されている。この連結壁11は、内側壁２ｂの上端縁と外側壁２ａの上端縁とを連結している。
また、内側壁２ｂの下端縁は、連結壁12を介して側方当接壁13と連結されている。この側方当接壁13は、内側壁２ｂと外側壁２ａとの間に位置すると共に外側壁２ａに当接状となっている。内側壁２ｂは、上側の連結壁11と下側の連結壁12とにより、外側壁２ａに対して所定距離Ｗだけ離間するように構成されている。
【００１４】
ここで、左右側壁２，２の各々の内側壁２ｂには、図５〜図８に示すように、ロール紙支持壁片１に当接してロール紙支持壁片１を略円弧状に保持するためのアール状保持部３が形成されている。より詳しくは、アール状保持部３は、内側壁２ｂの下側に、ロール紙包装ケース30の底部側から後面側にかけて四半円状となるように形成され、この部分が、ロール紙支持壁片１に当接するように形成されている。
【００１５】
また、左右側壁２，２の各々の内側壁２ｂには、ロール紙Ｒの中央貫孔４の開口端部５に差し込まれてロール紙Ｒを回転自在に保持するための起立保持片６が形成されている。  この内側壁２ｂの起立保持片６は、半円状であり、補強起立保持片７とほぼ同じ大きさに形成されている。また、起立保持片６は、ロール紙包装ケース30が店頭に並べられている状態では、その直線部が上下に延びると共に円弧部が後壁16側に向くように内側壁２ｂに形成されている（即ち、Ｄ字状に形成されている）。そして、その状態では、起立保持片６は、複数の切り残し部26…にて内側壁２ｂと連結されている。また、ロール紙包装ケース30をロール紙Ｒの引出器として使用する際には、起立保持片６は、切り残し部26…がちぎられてケース内部側に起立させられるようになっている。
また、起立保持片６の中央位置には、上下に延びる係止スリット10が形成されている。
【００１６】
また、起立保持片６と補強起立保持片７とは、起立状態で重ね合せ状に連結されている。より詳しくは、起立保持片６の係止スリット10に補強起立保持片７の係止片９を差込むことによって、起立保持片６と補強起立保持片７とは連結されている。
そして、左右の起立保持片６，６及び補強起立保持片７，７は、ロール紙Ｒを水平状に支持するように構成されている。起立保持片６，６及び補強起立保持片７，７は、半円状とすることによって、中央貫孔４の開口端部５，５の内壁面に点接触し、ロール紙Ｒの回転がスムーズになるように構成されている。
【００１７】
次に、蓋部19は、図２及び図３に示すように、後壁16の上端縁に連設されており、ロール紙包装ケース30の上面を形成する上蓋17と、ロール紙包装ケース30の前面側を覆う前蓋18と、を有している。この蓋部19は、ロール紙包装ケース30をロール紙Ｒの引出器として使用する際には、半開き状態となると共にロール紙Ｒの上面にその先端縁が軽く接触するようになっている。この状態では、蓋部19は、引き出されるロール紙Ｒのガイドとして機能するようになっている。
【００１８】
次に、本発明に係るロール紙包装ケースの使用方法及び作用について説明する。
まず、図１，２，３，５，７，９を参照して、印刷準備完了までの使用方法について説明する。  
ロール紙包装ケース30が店頭に並べられている状態では、図１に示すように、ロール紙Ｒがロール紙包装ケース30の内部に収納された状態にある。
そして、ロール紙包装ケース30をロール紙Ｒの引出器として使用する際には、まず、図２に示すように、ロール紙包装ケース30の蓋部19を開けて、ロール紙Ｒをロール紙包装ケース30から一旦取り出す。なお、ロール紙Ｒは図示省略の内袋にてさらに包装されているが、その内袋からもロール紙Ｒを取り出しておく。
【００１９】
次に、図９に示すように、外側壁２ａの補強起立保持片７と内側壁２ｂの起立保持片６とを、ケース内部側へ同時に折り込んで起立させる。そして、図５に示すように、補強起立保持片７の係止片９を起立保持片６の係止スリット10に差し込んで、起立保持片６と補強起立保持片７とを、起立状態で重ね合せ状に連結する。
その後、起立保持片６及び補強起立保持片７が相互に連結された状態で、起立保持片６及び補強起立保持片７をもとの位置に戻す。この作業は、左右の外側壁２ａ及び内側壁２ｂについて、行なう。
【００２０】
次に、取り出していたロール紙Ｒを再びロール紙包装ケース30の中に入れる。そして、ロール紙Ｒを軽くロール紙支持壁片１から持ち上げた状態で、連結状態の起立保持片６及び補強起立保持片７を、左右とも再びケース内部側へ起立させて、図７に示すように、ロール紙Ｒの中央貫孔４の左右の開口端部５，５に差込む。
次に、図３に示すように、ロール紙包装ケース30をプリンタ40の給紙口41付近に設置する。このとき、ロール紙包装ケース30は、ロール紙Ｒの給紙方向（図３の矢印Ｂ方向）と直交する幅方向に中央貫孔４が延びるようにすると共に給紙口41に対して幅方向を合わせるようにする。
そして、ロール紙Ｒのロール紙包装ケース30から引き出された部分をプリンタ40の給紙口41に差込む。この際、蓋部19は、半開き状態になると共に、その先端縁が引き出されたロール紙Ｒの上面側に軽く接触した状態となる。これで、印刷準備完了となる。
【００２１】
次に、図３及び図６を参照して、ロール紙包装ケースを引出器として使用する際の作用について説明する。
ロール紙Ｒがプリンタ40の給紙口41からプリンタ40内部へ供給されると、それに伴って、ロール紙包装ケース30の内部からロール紙Ｒは引き出される。
このとき、ロール紙Ｒは、起立保持片６，６及び補強起立保持片７，７により保持されているので、図６の矢印Ｃ方向にスムーズにかつ安定して回転する。また、ロール紙Ｒは、ロール紙Ｒの外周面の形状にほぼ沿うようなロール紙支持壁片１にて支持及びガイドされているので、スムーズに回転する。
【００２２】
次に、図３及び図６を参照して、印刷途中でロール紙Ｒの種類を交換するとき、及び印刷終了のときのロール紙包装ケースの使用方法について説明する。
まず、印刷途中でロール紙Ｒの種類を交換するときには、ロール紙Ｒのロール紙包装ケース30から引き出されてプリンタ40の給紙口41へつながっている部分を、給紙口41から引き抜くか、適当な場所で切断する。そして、ロール紙包装ケース30内部へロール紙Ｒを完全に収納する。そして、ロール紙Ｒが収納されたロール紙包装ケース30は、そのまま脇へ移動させると共に、別の種類のロール紙Ｒが入ったロール紙包装ケース30をプリンタ40の傍に持ってきて、上述した印刷準備を行なう。
印刷終了のときには、ロール紙Ｒのロール紙包装ケース30から引き出されてプリンタ40の給紙口41へつながっている部分を、給紙口41から引き抜くか、適当な場所で切断する。そして、ロール紙包装ケース30内部へロール紙Ｒを完全に収納する。その後、ロール紙Ｒが収納されたロール紙包装ケース30を持って、保管場所へ移動させる。
【００２３】
なお、本発明は、上述の実施の形態に限定されず、本発明の要旨を逸脱しない範囲で設計変更可能である。例えば、ロール紙支持壁片１は、側面視（横断面視）で前壁15の水平状折り目20から先端側へ向って順に、急な傾斜状となる第１支持領域部23と、折り目25を境にして緩やかな弯曲状となると共に後壁16に当接する第２支持領域部24と、を有するものに限るのではなく、全体として略円弧状となっていればよい。
また、ロール紙支持壁片１は、ケース内部の左右幅略全体に広がるように形成されていなくてもよい。
また、起立保持片６及び補強起立保持片７は、半円状に形成されたものに限るのではなく、他の形状にて形成してもよい。
また、本実施形態では、ロール紙包装ケース30を、インクジェットプリンタのプリンタのロール紙Ｒに使用する場合を例示したが、本発明はこれに限らず、他の種類のプリンタのロール紙に使用するも好ましい。また、プリンタ以外の機器用のロール紙包装ケースとして使用するも自由である。
【００２４】
以上のように本発明に係るロール紙包装ケースは、打抜と折り目加工によって一枚の紙Ａから作成され、ロール紙Ｒの包装ケースと引出器とを兼用するロール紙包装ケースであって、ケース内部側に、横断面略円弧状のロール紙支持壁片１を備えたので、従来のようにロール紙Ｒをケース内部から取り出してロール紙ホルダに取付ける作業を行なう必要がなくなる。これにより、ロール紙Ｒの使用が煩雑になることがなく、ポスター等の作成作業を容易に行なうことができる。また、ロール紙Ｒの種類を変更する際、従来のようにロール紙をロール紙ホルダから取り外したり、ロール紙をもとのロール紙包装ケースに再び収納したりしなくても済むようにすることができる。これにより、ロール紙Ｒの交換が容易なロール紙包装ケース30とすることができる。また、引出器として使用していたロール紙包装ケース30を、そのまま保管場所に持ち運んでロール紙Ｒを保管するために使用することができるので、ロール紙Ｒの保管が容易なロール紙包装ケース30とすることができる。
【００２５】
また、ロール紙支持壁片１が、ロール紙Ｒの外周面の形状にほぼ沿いつつロール紙Ｒを支持することができる。また、ロール紙Ｒが（ひっかからずに）うまく引き出されるように、ロール紙支持壁片１がロール紙Ｒをガイドする機能を有する。これにより、ロール紙Ｒをロール紙包装ケース30から容易かつスムーズに引き出すことができる。その結果、引出器としての能力に優れたロール紙包装ケース30とすることができる。また、ケース内部側に形成されるロール紙支持壁片１により、ロール紙包装ケース30全体の剛性を向上させることができる。
【００２６】
また、ロール紙Ｒの包装ケースと引出器との兼用により、専用のロール紙ホルダを必要としていた従来と比較して、経済性に優れたロール紙包装ケース30とすることができる。  また、ロール紙包装ケース30が一枚の紙Ａから作成されるので、複数の部材からロール紙包装ケースを作成する場合と比較して、ロール紙包装ケース30の作成作業を容易にすることができる。
【００２７】
また、左右側壁２，２に、ロール紙支持壁片１に当接してロール紙支持壁片１を略円弧状に保持するためのアール状保持部３，３を形成したので、横断面略円弧状のロール紙支持壁片１の形状が容易に崩れないようにすることができる。これにより、ロール紙包装ケース30の引出器としての性能が、容易に低下しないようにすることができる。
【００２８】
また、左右側壁２，２に、ロール紙Ｒの中央貫孔４の開口端部５，５に差し込まれてロール紙Ｒを回転自在に保持するための起立保持片６，６を形成したので、ロール紙包装ケース30に対して上下左右に移動することがないようにロール紙Ｒを保持しつつ、ロール紙Ｒの回転をよりスムーズにすることができる。これにより、ロール紙包装ケース30の引出器としての性能をより向上させることができる。
【００２９】
また、左右側壁２，２の各々は、補強起立保持片７が形成された外側壁２ａと、外側壁２ａの内側に位置すると共に起立保持片６が形成された内側壁２ｂと、を有し、起立保持片６と補強起立保持片７とを起立状態で重ね合せ状に連結したので、起立保持片６，６のみでロール紙Ｒを回転自在に保持する場合と比較して、起立保持片６，６の強度を増大させることができる。これにより、起立保持片６，６の損傷を抑制することができ、引出器としての性能が容易に低下しないようにすることができる。
【００３０】
また、ロール紙支持壁片１は、内側壁２ｂと対向する側で側面視傾斜状となる部分に、内側壁２ｂが差し込まれて内側壁２ｂの左右方向の動きを抑制するための切欠部８を有するので、外側壁２ａと内側壁２ｂとの相対位置が変化するのを抑制することができる。これにより、外側壁２ａに形成された補強起立保持片７と内側壁２ｂに形成された起立保持片６とを、起立状態にして重ね合せ状に連結する作業を容易に行なうことができる。その結果、取り扱い性に優れたロール紙包装ケース30とすることができる。
【図面の簡単な説明】
【００３１】
【図１】本発明の実施の一形態に係るロール紙包装ケースを示す斜視図である。
【図２】ロール紙をケース内部から取り出した状態の斜視図である。
【図３】引出器としての使用状態を示す斜視図である。
【図４】ロール紙包装ケースの作成前の状態を示す平面図である。
【図５】ロール紙包装ケースの一部破断要部拡大斜視図である。
【図６】断面側面図である。
【図７】図５のＥ−Ｅ線断面正面図である。
【図８】ロール紙包装ケースの組立途中の状態を示す斜視図である。
【図９】引出器として使用する際の作業を説明するための要部拡大斜視図である。
【符号の説明】
【００３２】
１  ロール紙支持壁片
２ａ  外側壁
２ｂ  内側壁
３  アール状保持部
４  中央貫孔
５  開口端部
６  起立保持片
７  補強起立保持片
８  切欠部
Ａ  紙
Ｒ  ロール紙
【図１】
2006256666.tif 000003
【図２】
2006256666.tif 000004
【図３】
2006256666.tif 000005
【図４】
2006256666.tif 000006
【図５】
2006256666.tif 000007
【図６】
2006256666.tif 000008
【図７】
2006256666.tif 000009
【図８】
2006256666.tif 000010
【図９】
2006256666.tif 000011